(57)【特許請求の範囲】
【請求項１】
縦方向と、前記縦方向と交差する横方向と、前記縦方向及び前記横方向と交差する前後方向を有し、
前記横方向に沿った前胴回り部と、
前記横方向に沿った後胴回り部と、
前記前胴回り部と前記後胴回り部との間に設けられた股下部と、
を備えた吸収性物品であって、
前記横方向における前記後胴回り部の一方側の端部は、前記横方向における前記前胴回り部の前記一方側の端部に接合されており、
前記横方向における前記後胴回り部の他方側には、着用時に前記後胴回り部から前記横方向に突出して、前記前胴回り部に係止可能な係止部が設けられており、
前記後胴回り部の少なくとも上端部には、前記横方向に沿った弾性領域が設けられており、
前記横方向において、
前記弾性領域の、前記一方側の端と、前記股下部の中央との距離が、
前記弾性領域の、前記他方側の端と、前記股下部の中央との距離よりも小さいことを特徴とする吸収性物品。
【請求項２】
請求項１に記載の吸収性物品において、
前記前胴回り部のうち、
前記一方側の端部から、前記股下部における前記横方向の中央までの領域は、前記横方向に沿った前記弾性領域を有しており、
前記他方側の端部から、前記股下部における前記横方向の中央までの領域は、前記弾性領域を有していないことを特徴とする吸収性物品。
【請求項３】
請求項１又は２に記載の吸収性物品において、
前記横方向において、
前記前胴回り部の前記縦方向の上端の、前記一方側の端と、前記股下部の中央との距離が、
前記前胴回り部の前記縦方向の上端の、前記他方側の端と、前記股下部の中央との距離よりも長いことを特徴とする吸収性物品。
【請求項４】
請求項１から３のいずれか１項に記載の吸収性物品において、
前記横方向において、
前記後胴回り部の中心から前記股下部の中心までの距離は、
前記他方側の端と、前記股下部の中央との距離と、
前記一方側の端と、前記股下部の中央との距離との差より小さいことを特徴とする吸収性物品。
【請求項５】
請求項１から４のいずれか１項に記載の吸収性物品において、
前記後胴回り部において、
前記弾性領域は、複数の糸ゴムが配置された領域であり、
前記一方側の端と、前記股下部における前記横方向の中央との間に設けられた前記弾性領域の前記糸ゴムの数より、
前記他方側の端と、前記股下部における前記横方向の中央との間に設けられた前記弾性領域の前記糸ゴムの数の方が多いことを特徴とする吸収性物品。
【請求項６】
請求項１から５のいずれか１項に記載の吸収性物品において、
前記後胴回り部は、前記係止部を備えた係止部材を有しており、
前記係止部材は、前記後胴回り部の固着領域で、前記後胴回り部の前記他方側の端部に固着されており、
前記固着領域の前記縦方向の長さは、前記後胴回り部の前記他方側の端の長さの半分以上の長さであることを特徴とする吸収性物品。
【請求項７】
請求項１から６のいずれか１項に記載の吸収性物品において、
前記後胴回り部、前記前胴回り部、及び前記股下部は、それぞれ別体であり、
前記後胴回り部の下端の前記一方側には、前記一方側の前記端部に向かって傾斜している一方側傾斜部を有し、
前記後ろ胴回り部の下端の前記他方側には、前記他方側の前記端部に向かって傾斜している他方側傾斜部を有し、
前記一方側傾斜部の前記横方向の長さより前記他方側傾斜部の前記横方向の長さの方が長いことを特徴とする吸収性物品。
【請求項８】
請求項１から７のいずれか１項に記載の吸収性物品において、
前記後胴回り部、前記前胴回り部、及び前記股下部は、それぞれ別体であり、
前記股下部の前記前後方向の後側に、前記後胴回り部に重ねられた第１重なり領域が設けられており、
前記股下部の前記前後方向の前側に、前記前胴回り部に重ねられた第２重なり領域が設けられており、
前記第１重なり領域の下端から前記第２重なり領域の下端までの前記股下部の長さの半分より、
前記後胴回り部の前記他方側の端の長さの方が小さいことを特徴とする吸収性物品。
【請求項９】
請求項１から８のいずれか１項に記載の吸収性物品において、
前記横方向において、
前記上端部における前記弾性領域は、少なくとも前記股下部の一端から他端に渡って連続して設けられていることを特徴とする吸収性物品。
【発明の詳細な説明】
【技術分野】
【０００１】
本発明は、吸収性物品に関する。
【背景技術】
【０００２】
従来、排泄物を吸収する吸収性物品として所謂テープ型おむつやパンツ型おむつの使い捨ておむつが知られている。このテープ型おむつやパンツ型おむつが有する、バタつく乳幼児に履かせるのが難しいことや、着用時に無理な姿勢を強いてしまうという問題を解消するため、特許文献１には、ウエスト部の左右両側部の一方を接合し、他方を未接合とする使い捨ておむつ１が記載されている。
【先行技術文献】
【特許文献】
【０００３】
【特許文献１】実開平４−５８２６号
【発明の概要】
【発明が解決しようとする課題】
【０００４】
しかし、特許文献１に記載された使い捨ておむつ１は、ウエスト部の左右両側部の一方側のレッグホール１１に片脚を入れた状態で他方側の前後の各ウエスト部５Ａ、５Ｃを引き寄せて重ね合わせて接合するため、ウエスト部５Ａの引き寄せによって、片脚を入れた状態では着用者の身体の中心に位置していた吸収体４が、他方側に移動してしまう恐れがあった。
【０００５】
本発明は、上記のような問題に鑑みてなされたものであって、吸収性物品の股下部が人の身体の中心からずれてしまうことを抑制することにある。
【課題を解決するための手段】
【０００６】
上記目的を達成するための主たる発明は、
縦方向と、前記縦方向と交差する横方向と、前記縦方向及び前記横方向と交差する前後方向を有し、前記横方向に沿った前胴回り部と、前記横方向に沿った後胴回り部と、前記前胴回り部と前記後胴回り部との間に設けられた股下部と、を備えた吸収性物品であって、前記横方向における前記後胴回り部の一方側の端部は、前記横方向における前記前胴回り部の前記一方側の端部に接合されており、前記横方向における前記後胴回り部の他方側には、着用時に前記後胴回り部から前記横方向に突出して、前記前胴回り部に係止可能な係止部が設けられており、前記後胴回り部の少なくとも上端部には、前記横方向に沿った弾性領域が設けられており、前記横方向において、前記弾性領域の、前記一方側の端と、前記股下部の中央との距離が、前記弾性領域の、前記他方側の端と、前記股下部の中央との距離よりも小さいことを特徴とする吸収性物品である。
本発明の他の特徴については、本明細書及び添付図面の記載により明らかにする。
【発明の効果】
【０００７】
片脚を通した状態で、股下部を人の身体の中心の位置に合わせて、後胴回り部の他方側を引っ張ると弾性領域が伸びるため、股下部も他方側に動いてしまうが、その動きを予め見越して、胴回り部の上端部に設けられた横方向に沿った弾性領域の、一方側の端と股下部の中央との距離を、他方側の端と、股下部の中央との距離より小さくすることで、股下部が人の身体の中心からずれてしまうことを抑制することができる。
【図面の簡単な説明】
【０００８】
【図１】図１は、本実施形態に係る使い捨ておむつ１の斜視イメージ図である。
【図２】図２は、展開状態のおむつ１の平面図である。
【図３】図３は、弾性領域Ｘ、Ｙについて説明する図である。
【図４】図４Ａは、従来のパンツ型おむつ１００の履かせる方法を説明する図である。図４Ｂは、おむつ１の履かせ方を説明する図である。
【図５】図５Ａは、片脚を入れたときの展開状態のおむつ１の平面図である。図５Ｂは、着用しているときの展開状態のおむつ１の平面図である。
【図６】図６は、係止部材４０側の糸ゴムの数が多く設けられた場合の展開状態のおむつ１の平面図である。
【図７】図７Ａは、係止部材４０の形状の一例を示す図である。図７Ｂは、係止部４１の形状の一例を示す図である。
【発明を実施するための形態】
【０００９】
本明細書及び添付図面の記載により、少なくとも以下の事項が明らかとなる。  
縦方向と、前記縦方向と交差する横方向と、前記縦方向及び前記横方向と交差する前後方向を有し、前記横方向に沿った前胴回り部と、前記横方向に沿った後胴回り部と、前記前胴回り部と前記後胴回り部との間に設けられた股下部と、を備えた吸収性物品であって、前記横方向における前記後胴回り部の一方側の端部は、前記横方向における前記前胴回り部の前記一方側の端部に接合されており、前記横方向における前記後胴回り部の他方側には、着用時に前記後胴回り部から前記横方向に突出して、前記前胴回り部に係止可能な係止部が設けられており、前記後胴回り部の少なくとも上端部には、前記横方向に沿った弾性領域が設けられており、前記横方向において、前記弾性領域の、前記一方側の端と、前記股下部の中央との距離が、前記弾性領域の、前記他方側の端と、前記股下部の中央との距離よりも小さいことを特徴とする吸収性物品である。
【００１０】
片脚を通した状態で、股下部を人の身体の中心の位置に合わせて、後胴回り部の他方側を引っ張ると弾性領域が伸びるため、股下部も他方側に動いてしまうが、このような吸収性物品によれば、その動きを予め見越して、胴回り部の上端部に設けられた横方向に沿った弾性領域の、一方側の端と股下部の中央との距離を、他方側の端と、股下部の中央との距離より小さくすることで、股下部が人の身体の中心からずれてしまうことを抑制することができる。
【００１１】
かかる吸収性物品において、前記前胴回り部のうち、前記一方側の端部から、前記股下部における前記横方向の中央までの領域は、前記横方向に沿った前記弾性領域を有しており、前記他方側の端部から、前記股下部における前記横方向の中央までの領域は、前記弾性領域を有していないことが望ましい。
【００１２】
このような吸収性物品によれば、前胴回り部のうち、一方側の端から股下部における横方向の中央までの領域が前側弾性領域を有することで吸収性物品のフィット性を向上しつつ、他方側の端から股下部における横方向の中央までの領域が前側弾性部材を有しないことにより、前側弾性領域の伸縮により係止が外れやすくなったりする恐れを軽減することができる。
【００１３】
かかる吸収性物品において、前記横方向において、前記前胴回り部の前記縦方向の上端の、前記一方側の端と、前記股下部の中央との距離が、前記前胴回り部の前記縦方向の上端の、前記他方側の端と、前記股下部の中央との距離よりも長いことが望ましい。
【００１４】
このような吸収性物品によれば、他方側を係止部で係止した際に、後胴回り部が重ねられる前胴回り部の領域を小さくすることができるため、装着中に生じる後胴回り部と前胴回り部が重なりによる使用者の違和感や不快感を減少させることができる。
【００１５】
かかる吸収性物品において、前記横方向において、前記後胴回り部の中心から前記股下部の中心までの距離は、前記他方側の端と前記股下部の中央との距離と、前記一方側の端と前記股下部の中央との距離との差より小さいことが望ましい。
【００１６】
このような吸収性物品によれば、横方向において、後胴回り部の中心から股下部の中心までの距離を、後胴回り部の上端の、他方側の端と、股下部の中央との距離と、後胴回り部の上端の、一方側の端と、股下部の中央との距離との差より小さくすることで、係止部を前胴回り部に係止する際に、横方向における股下部の中央が股間の中央からずれる恐れをより軽減することができる。
【００１７】
かかる吸収性物品において、前記後胴回り部において、前記弾性領域は、複数の糸ゴムが配置された領域であり、前記一方側の端と、前記股下部における前記横方向の中央との間に設けられた前記弾性領域の前記糸ゴムの数より、前記他方側の端と、前記股下部における前記横方向の中央との間に設けられた前記弾性領域の前記糸ゴムの数の方が多いことが望ましい。
【００１８】
このような吸収性物品によれば、後胴回り部において、一方側の端と股下部における横方向の中央との間より、他方側の端と股下部との中央との間の方が糸ゴムを多く設けることで、人の胴回りのフィット性を向上させることができる。
【００１９】
かかる吸収性物品において、前記後胴回り部は、前記係止部を備えた係止部材を有しており、前記係止部材は、前記後胴回り部の固着領域で、前記後胴回り部の前記他方側の端部に固着されており、前記固着領域の前記縦方向の長さは、前記後胴回り部の前記他方側の端の長さの半分以上の長さであることが望ましい。
【００２０】
このような吸収性物品によれば、固着領域の縦方向の長さを、後胴回り部の他方側の端の長さの半分以上の長さとすることで、装着の際の係止部を引っ張る力を後胴回り部の端の長さの半分以上の領域に与えることができる。
【００２１】
かかる吸収性物品において、前記後胴回り部、前記前胴回り部、及び前記股下部は、それぞれ別体であり、前記後胴回り部の下端の前記一方側には、前記一方側の前記端部に向かって傾斜している一方側傾斜部を有し、前記後ろ胴回り部の下端の前記他方側には、前記他方側の前記端部に向かって傾斜している他方側傾斜部を有し、前記一方側傾斜部の前記横方向の長さより前記他方側傾斜部の前記横方向の長さの方が長いことが望ましい。
【００２２】
このような吸収性物品によれば、他方側に設けられた係止部により、人の脚回りの大きさに対応することができるため、吸収性物品をよりフィットさせることができる。
【００２３】
かかる吸収性物品において、前記後胴回り部、前記前胴回り部、及び前記股下部は、それぞれ別体であり、前記股下部の前記前後方向の後側に、前記後胴回り部に重ねられた第１重なり領域が設けられており、前記股下部の前記前後方向の前側に、前記前胴回り部に重ねられた第２重なり領域が設けられており、前記第１重なり領域の下端から前記第２重なり領域の下端までの前記股下部の長さの半分より、前記後胴回り部の前記他方側の端の長さの方が小さいことが望ましい。
【００２４】
このような吸収性物品によれば、脚回りの開口を広く設けて脚を通しやすくするとともに、後胴回り部の他方側の端が短くなり、係止する際に係止部及び後胴回り部全体を引っ張りやすくなるため、より装着させやすくなる。
【００２５】
かかる吸収性物品において、前記横方向において、前記上端部における前記弾性領域は、少なくとも前記股下部の一端から他端に渡って連続して設けられていることが望ましい。
【００２６】
このような吸収性物品によれば、横方向において、上端部における弾性領域を、少なくとも股下部の一端から他端に渡って連続した弾性領域を設けることで、係止部を前胴回り部に係止する際に、横方向における股下部の中央が股間の中央からずれる恐れをより軽減することができる。
【００２７】
＝＝＝本実施形態＝＝＝
＜＜＜本実施形態に係る使い捨ておむつ１について＞＞＞
本実施形態に係るおむつ１の構成について説明する。図１は、本実施形態に係る使い捨ておむつ１（以下、「おむつ１」ともいう。）の斜視イメージ図である。図２は、展開状態のおむつ１の平面図である。展開状態とは、図１のおむつ１の係止部４１をターゲット領域３４から取り外して接合部１ｂを分離し、開いておむつ１全体を平面的に展開した状態である。図３は、弾性領域Ｘ、Ｙについて説明する図である。
【００２８】
本実施形態に係るおむつ１は、主に乳幼児等を着用対象とした使い捨ておむつである。
以下の説明では、おむつ１は、「縦方向」と、縦方向と交差する「横方向」と、縦方向及び横方向と交差する「前後方向」とを有する。
【００２９】
図１に示すように、おむつ１は、着用者の股下に配置して排泄物を吸収する吸収性本体１０（「股下部」ともいう。）と、着用者の背側を覆う後胴回り部２０と、着用者の腹側を覆う前胴回り部３０とを有し、胴回り開口部１ＨＢと一対の脚回り開口部１ＨＬ、１ＨＬが形成されている。図２に示した展開状態のおむつ１が縦方向の略中央位置を折り畳み位置として二つ折りされ、一方の横方向の端部において後胴回り部２０と前胴回り部３０とが接合部１ｂで接合されている。
【００３０】
後胴回り部２０及び前胴回り部３０は、その平面形状は略矩形であり、図２の展開状態では、後胴回り部２０と前胴回り部３０とが互いに縦方向に間隔をあけて平行に配置され、これらの間に吸収性本体１０が架け渡されている。
【００３１】
そして、吸収性本体１０の一端部１０ａに後胴回り部２０が、他端部１０ｂに前胴回り部３０が固定されている。この一端部１０ａは、吸収性本体１０と後胴回り部２０とが前後方向に重なった領域（第１重なり領域）であり、図２におけるＡ−Ｂ−Ｃ−Ｄで囲まれた矩形領域である。他端部１０ｂは、吸収性本体１０と前胴回り部３０とが前後方向に重なった領域（第２重なり領域）であり、図２におけるＦ−Ｇ−Ｈ―Ｉで囲まれた矩形領域である。
【００３２】
＜吸収性本体１０の構成＞
吸収性本体１０は、平面視略長方形をなし、その長手方向をおむつ１の縦方向に沿わせつつ横方向の中央に配置されている。図２において、中心線ＡＣは吸収性本体１０の横方向における中心である。吸収性本体１０は、液体を吸収して保持する吸収体１１と、吸収体１１を着用者の肌側から覆いつつ尿等の排泄物を透過させる液透過性の表面シート１２と、吸収体１１を非肌側から覆いつつ非肌側からの液体の漏れを防ぐ液不透過性の裏面シート１３を有する。吸収体１１は、パルプ繊維等の液体吸収性繊維を略直方体等の所定形状に成形したものであり、その内部には高吸収性ポリマーが混入されている。なお、吸収性本体１０には、横漏れを防ぐ立体ギャザー部や脚回りのフィット性を向上させるレッグギャザー部が設けられているが、便宜上、図２等では省略している。
【００３３】
＜後胴回り部２０の構成＞
後胴回り部２０は、着用者の肌側に位置する肌側部材２１と、非肌側に位置する非肌側部材２２と、肌側部材２１と非肌側部材２２の間に位置する複数の糸ゴム（弾性部材）２３を有する。肌側部材２１と非肌側部材２２は、それぞれ不織布等の柔軟なシート部材である。糸ゴム２３は、後胴回り部２０の横方向への伸縮性を付与する弾性部材であり、横方向に沿って複数配置され、接着剤等で固定されている。
【００３４】
図２、図３において左側は「一方側」であり、右側は「他方側」であり、中心線ＲＣは、後胴回り部２０の横方向の中心を示している。後胴回り部２０の一方側の端部、つまり図２における左側の端部には、接合領域２０ｊが設けられ、熱溶着等の所定の接合手段を用いて前胴回り部３０の接合領域３０ｊ（後述）と接合されることにより、おむつ１の接合部１ｂが形成される。また、後胴回り部２０の他方側の端部、つまり図２における右側の端部には、固着領域４０ｊが設けられている。固着領域４０ｊには、係止部材４０（後述）が固着されている。
【００３５】
後胴回り部２０の下端２０ｂは、一方側には、一方側の端部に向かって傾斜している傾斜部２０ｂｌを有している。他方側には、前胴回り部３０の下端と略平行に形成された直線部２０ｂｓと、直線部２０ｂｓより横方向内側に、傾斜部２０ｂｌと中心線ＡＣについて対称な傾斜部２０ｂｒを有している。このように、直線部２０ｂｓを前胴回り部３０の下端と略平行にすることで、係止部４１をターゲット領域３４に係止しておむつ１を着用状態にしたときに、前胴回り部３０の下端と後胴回り部２０の直線部２０ｂｓを揃えることができるため、着用状態の見栄えが良くなる。なお、傾斜部２０ｂｒの横方向の長さＬ６を、傾斜部２０ｂｌの横方向の長さＬ５より長く設けて（Ｌ６＞Ｌ５）、傾斜部２０ｂｌより、傾斜部２０ｂｒの方を下端２０ｂに対して緩やかな傾斜角度にしてもよい。
【００３６】
糸ゴム２３は、弾性領域Ｘを形成して、後胴回り部２０の横方向への伸縮性を付与する弾性部材であり、おむつ１のフィット性を向上させている。後胴回り部２０の上端部において、糸ゴム２３は、横方向における、吸収性本体１０の一端から他端に渡って連続して設けられており、後胴回り部２０の一方側の横端２０ｅから他方側の横端２０ｅまで連続して、横方向に沿って一定間隔で配置されている。後胴回り部２０のうち吸収体１１と重なる領域、つまり、後胴回り部２０の縦方向中央部及び下端部においては、吸収体１１が配置された領域に対応する後胴回り部２０の幅方向の中央部には、糸ゴム２３が配置されず、吸収体１１より左側の領域と吸収体より右側の領域に略平行に複数の糸ゴム２３が配置されている。
【００３７】
図３に示すように、後胴回り部２０の上端部のうち、一方側に設けられた接合領域２０ｊの横方向内側の横端から、他方側に設けられた固着領域４０ｊの横方向内側の横端までの領域で糸ゴム２３が配置されている領域を弾性領域Ｘという。図３において、弾性領域Ｘは斜線で示しており、便宜上、接合領域２０ｊ、３０ｊ、固着領域４０ｅのハッチングは省略している。図２、図３に示すように、糸ゴム２３は、後胴回り部２０の横方向の両側の横端２０ｅまで配置されているが、それぞれ横方向の端部に接合領域２０ｊ及び固着領域４０ｊが設けられることで、接合領域２０ｊ、及び接合領域２０ｊより横方向外側、並びに固着領域４０ｊ、及び固着領域４０ｊより横方向外側の部分の伸縮力は実質的に発現できなくなる。この弾性領域Ｘの一方側の端Ｘｅ１は、接合領域２０ｊの横方向内側の横端と同位置であり、弾性領域Ｘの他方側の端Ｘｅ２は、固着領域４０ｊの横方向内側の横端と同じ位置である。このとき、弾性領域Ｘの一方側の端Ｘｅ１から中心線ＡＣまでの距離を距離Ｌ１とし、弾性領域Ｘの他方側の端Ｘｅ２から中心線ＡＣまでの距離を距離Ｌ２とすると、距離Ｌ１は距離Ｌ２より小さい（Ｌ１＜Ｌ２）。
【００３８】
なお、図２、図３において、中心線ＢＣは、片脚を入れた状態の着用者の身体の略中心となる位置を示しており、本実施形態において、中心線ＢＣは、後胴回り部２０の横方向の中心を示す中心線ＲＣと同位置である。この中心線ＲＣ、中心線ＢＣは、吸収性本体１０の中心を示す中心線ＡＣと異なる位置で、中心線ＡＣより右側（他方側）に位置している。
【００３９】
このとき、後胴回り部２０の中心線ＲＣと吸収性本体１０の中心線ＡＣとの距離ｄは、距離Ｌ２と距離Ｌ１との差より小さい（ｄ＜Ｌ２−Ｌ１）。また、距離ｄの２倍の長さ（２ｄ）が、距離Ｌ２と距離Ｌ１との差以下であることがより好ましく（２ｄ≦Ｌ２−Ｌ１）、最も好ましくは、距離ｄの２倍の長さと、距離Ｌ２と距離Ｌ１との差とが等しい場合である（２ｄ＝Ｌ２−Ｌ１）。
【００４０】
係止部材４０は、固着領域４０ｊで後胴回り部２０に熱融着等の所定の固着手段で固定されたものであり、略台形形状のテープ基材である。係止部材４０の肌側面に複数の係止用突起（不図示）を備えた面ファスナーの係止部４１を有している。係止部４１の係止用突起を、前胴回り部３０に設けられたターゲット領域３４に引っ掛けることにより、係止部材４０が前胴回り部３０に係止される。これにより、胴回り開口部１ＨＢと他方側の脚回り開口部１ＨＬが形成される。
【００４１】
後ろ胴回り部２０の他方側の横端２０ｅの長さをＨ１、固着領域４０ｊの縦方向の長さをＨ２、一端部１０ａの下端から他端部１０ｂの下端までの吸収性本体１０の長さをＨ３とすると、Ｈ２の長さは、Ｈ１の半分より長い（Ｈ２＞Ｈ１／２）。また、Ｈ１の長さは、Ｈ３の半分の長さより小さい（Ｈ１＜Ｈ３／２）。
【００４２】
＜前胴回り部３０の構成＞
前胴回り部３０は、着用者の肌側に位置する肌側部材３１と、非肌側に位置する非肌側部材３２と、肌側部材３１と非肌側部材３２の間に位置する複数の糸ゴム（弾性部材）３３と、前胴回り部３０の非肌側面にターゲット領域３４を有する。肌側部材３１と非肌側部材３２は、それぞれ不織布等の柔軟なシート部材である。糸ゴム３３は、前胴回り部３０の横方向への伸縮を付与する弾性部材であり、横方向に沿って複数配置され、シート部材に接着剤等で固定されている。ターゲット領域３４は、係止部４１と係合可能な部材であり、不織布等で形成されている。
【００４３】
図２に示すように、前胴回り部３０の左側の端部には、接合領域３０ｊを有し、後胴回り部２０の接合領域２０ｊと接合される。また、前胴回り部３０のうち、吸収性本体１０の中心線ＡＣより右側の領域に、矩形のターゲット領域３４が設けられている。
【００４４】
糸ゴム３３は、前胴回り部３０の横方向への伸縮性を付与する弾性部材であり、おむつ１のフィット性を向上させている。糸ゴム３３は、前胴回り部３０のうち、左側の横端３０ｅから中心線ＡＣまでの間に設けられており、右側の横端３０ｅから中心線ＡＣまでの間には設けられていない。また、左側の横端３０ｅから中心線ＡＣまでの間のうち、吸収体１１と重なる領域についても、糸ゴム３３は設けられていない。このとき、図３に示すように、接合領域３０ｊの横方向の内側の横端から、中心線ＡＣまで間で糸ゴム３３が配置されている領域を弾性領域Ｙという。
【００４５】
前胴回り部３０の一方側の横端３０ｅから中心線ＡＣまでの距離をＬ３、前胴回り部３０の他方側の横端３０ｅから中心線ＡＣまでの距離をＬ４とすると、距離Ｌ３は距離Ｌ４より長い（Ｌ３＞Ｌ４）。
【００４６】
また、前胴回り部３０の横方向の長さは、後胴回り部２０の横方向の長さより短い。つまり、横方向において、前胴回り部３０の左側の横端３０ｅは、後胴回り部２０の左側の横端２０ｅと、ほぼ同位置に設けられている。これに対して、横方向において、前胴回り部３０の右側の横端３０ｅは、後胴回り部２０の右側の横端２０ｅより内側に設けられている。
【００４７】
＜＜＜本実施形態に係るおむつ１の有効性について＞＞＞
従来、使い捨ておむつとしてパンツ型おむつ１００が知られている。図４Ａは、従来のパンツ型おむつ１００の履かせる方法を説明する図である。図４Ａに示すように、パンツ型おむつ１００を履かせる場合には、パンツ型おむつ１００の胴回り開口部を大きく広げて、各脚回り開口部から両脚をそれぞれ通しつつ、臀部を通過させて着用状態とする。このとき、着用者に無理な姿勢を強いないように両脚をほぼ同時に脚回り開口部に通す必要があるが、乳幼児のように脚をバタバタさせていると、両脚を通すことが難しいため、少しでも脚を通し易くするために、脚回り開口部を大きく広げたりしている。また、胴回り開口部についても、腹部より大きい臀部を通過させる必要があるため、胴回り開口部を図４Ａのように大きく広げて履かせたりしている。そのため、脚回り開口部や胴回り開口部の寸法が着用者の腹部より大きくなってしまい、脚部や腹部にフィットしない恐れがあった。
【００４８】
これに対し、本実施形態のおむつ１は、胴回り開口部や各脚回り開口部１ＨＬのフィット性を向上させつつ、より容易に履かせることができる。図４Ｂは、おむつ１の履かせ方を説明する図である。おむつ１は、一方側の端部に接合部１ｂが形成され、他方側の端部に係止部材４０が形成されているため、図４Ｂに示すように、まず、おむつ１の一方側に片脚を入れて一方側の脚、本実施形態では、着用者の右足を着用状態と同じ位置、つまり、一方側の脚回り開口部１ＨＬを着用者の右脚の付け根に配置する。その後、着用させようとする人が、片方の手で前胴回り部３０の他方側端部を肌側へ向かって押さえて、もう一方の手で係止部材４０を引っ張って、前胴回り部３０のターゲット領域３４に係止して、他方側の脚回り開口部を形成し、おむつ１を着用状態とする。この履かせ方により、従来のように脚回り開口部に両脚を同時に入れる必要がなくなり、両脚を同時に脚回り開口部１ＨＬに通すことに比べて、一方側の脚回り開口部１ＨＬに通すことの方が容易であるため、脚をバタつかせている乳幼児であっても、おむつ１を容易に履かせることができる。
【００４９】
このとき、弾性領域Ｘの、一方側の端Ｘｅ１から吸収性本体１０の中心線ＡＣまでの距離Ｌ１と、他方側の端Ｘｅ２から中心線ＡＣまでの距離Ｌ２とを同じ長さにすると、係止部材４０を引っ張ることで後胴回り部２０が横方向に伸長して、吸収体１０が他方側に動いてしまい、着用者の身体の略中心から吸収性本体１０がずれてしまって、排泄物が漏れてしまったり、着用者に違和感を与えてしまったりする恐れがあった。
【００５０】
本実施形態のおむつ１では、この着用者の身体の略中心から吸収性本体１０の横方向の中心がずれてしまうことを予め見越して、弾性領域Ｘの、一方側の端Ｘｅ１から吸収性本体１０の中心線ＡＣまでの距離Ｌ１を、他方側の端Ｘｅ２から中心線ＡＣまでの距離Ｌ２より小さくした。図５Ａは、片脚を入れたときの展開状態のおむつ１の平面図である。図５Ｂは、着用しているときの展開状態のおむつ１の平面図である。図５Ａに示すように、着用者の片脚を入れた状態では、着用者の身体の略中心を表す中心線ＢＣより、吸収性本体１０の中心線ＡＣは一方側、本実施形態においては着用者の右脚側に位置している。この状態から、係止部材４０を他方側に引っ張り、係止部４１を前胴回り部３０に係止して着用状態のおむつ１に変形させると、後胴回り部２０が横方向に伸長し、吸収性本体１０も他方側、つまり着用者の左脚側へ移動する。これにより、中心線ＡＣと中心線ＢＣが近づき、吸収性本体１０を着用者の身体の中心により近づけることができる。理想的な位置関係となる場合は、図５Ｂに示すように、中心線ＡＣと中心線ＢＣが同じ位置となり、おむつ１の吸収性本体１０の横方向の中央が、着用者の身体の中心と同じ位置となる場合である。
【００５１】
また、おむつ１は、弾性領域Ｘの、一方側の端Ｘｅ１から吸収性本体１０の中心線ＡＣまでの距離Ｌ１を、他方側の端Ｘｅ２から中心線ＡＣまでの距離Ｌ２と異なる長さにすることができるため、一方側の距離Ｌ１は、一方側の脚（本実施形態では、右脚）の大きさに応じた脚回り開口部１ＨＬに適した長さに設定することができ、一方側の脚回り開口部１ＨＬのフィット性を向上させることができる。他方側の脚（本実施形態では、左脚）の脚回り開口部１ＨＬは、係止部４１の係止によって、調整することができるため、他方側の脚回り開口部１ＨＬのフィット性も確保することができる。
【００５２】
さらに、本実施形態においては、前胴回り部３０のうち、一方側の端部から中心線ＡＣまでの領域は、横方向に沿った弾性領域Ｙを有しており、他方側の端部から中心線ＡＣまでの領域は、弾性領域を有していないことで、おむつ１のフィット性を向上させている。前胴回り部３０の他方側の端部から中心線ＡＣまでの領域は、係止部材４０の係止部４１が係止する領域であるため、この領域に糸ゴム３３等の弾性部材を配置すると、弾性部材の伸縮によって、係止が外れやすくなってしまう恐れを軽減するためである。このとき、ターゲット領域３４は、前胴回り部３０のうち、弾性領域を設けていない部分に配置している。なお、前胴回り部３０の他方側の端部から中心線ＡＣまでの領域に弾性領域を設けていてもよい。
【００５３】
さらに、本実施形態においては、横方向において、前胴回り部３０の縦方向の上端の、一方側の端と中心線ＡＣとの距離Ｌ３が、前胴回り部３０の縦方向の上端の、他方側の端と中心線ＡＣとの距離Ｌ４よりも長いため（Ｌ３＞Ｌ４）、他方側の係止部４１で前胴回り部３０に係止した際に、後胴回り部２０が前後方向に重ねられる前胴回り部３０の領域をより小さくすることができる。これによって、着用中の、後胴回り部２０と前胴回り部３０が重ねられることによって生じる違和感や不快感を軽減させることができる。
【００５４】
さらに、本実施形態においては、横方向において、後胴回り部２０の中心線ＲＣから吸収性本体１０の中心線ＡＣまでの距離ｄを、弾性領域Ｘの他方側の端Ｘｅ２と中心線ＡＣとの距離Ｌ２と、弾性領域Ｘの一方側の端Ｘｅ１と中心線ＡＣとの距離Ｌ１との差より小さくすることで（ｄ＜Ｌ２−Ｌ１）、係止部４１を前胴回り部３０に係止する際に、横方向における吸収性本体１０の中央（中心線ＡＣ）と、人の身体の略中心（中心線ＢＣ）とがずれてしまう恐れをより軽減することができる。なお、本実施形態においては、人の身体の略中心位置を示す中心線ＢＣと、後胴回り部２０の横方向の中央を示す中心線ＲＣとを同位置としたが、これに限られない。人の身体の大きさや、各部材の寸法、弾性部材の伸縮力等によって、中心線ＢＣの位置を適宜調整することができ、中心線ＢＣの位置が中心線ＲＣと異なる位置に設けられていてもよい。
【００５５】
前述のように、おむつ１は、前胴回り部３０のうち、後胴回り部２０や係止部材４０が重ねられる領域は、糸ゴム３３の伸縮力が発揮されないため、各糸ゴム２３と各糸ゴム３３とが同じ伸縮力を有している場合、人の身体の略中心を示す中心線ＢＣと、後胴回り部２０の横方向の中央を示す中心線ＲＣとを同じ位置に設け、距離ｄの２倍の長さと、距離Ｌ２と距離Ｌ１との差とを同じにした場合（２ｄ＝Ｌ２−Ｌ１）が、糸ゴム２３、３３による胴回り開口部１ＨＢを適度にフィットさせることができる最も理想的な位置関係となり得る。
【００５６】
さらに、後胴回り部２０において、複数の糸ゴム３３が配置された領域である弾性領域Ｘにおいて、一方側の端Ｘｅ１と中心線ＡＣとの間に設けられた弾性領域Ｘの糸ゴム３３の数より、他方側の端Ｘｅ２と、中心線ＡＣとの間に設けられた弾性領域Ｘの糸ゴム３３の数の方を多く設けてもよい。図６は、係止部材４０側の糸ゴムの数が多く設けられた場合の展開状態のおむつ１の平面図である。図６に示すように、おむつ１は、前胴回り部３０のうち、中心線ＡＣより他方側は、係止部４１により係止されるため、糸ゴム３３を有していない。また、この領域に糸ゴム３３を有していても、係止部４１の係止によって伸縮性が低下してしまい、着用中に、一方側に比べて他方側の伸縮性が弱くなってしまう恐れがある。そこで、他方側の端Ｘｗ２と中心線ＡＣとの間の糸ゴム３３をより多く配置して、おむつ１のフィット性を向上させることができる。
【００５７】
さらに、本実施形態においては、後胴回り部２０は、係止部４１を備えた係止部材４０を有しており、係止部材４０は、後胴回り部２０の固着領域４０ｊで、後胴回り部２０の他方側の端部に固着されており、固着領域４０ｊの縦方向の長さＨ２を、後胴回り部２０の他方側の横端２０ｅの長さＨ１の半分以上の長さとすることで（Ｈ２＞Ｈ１／２）、図４Ｂに示す状態から、係止部材４０を引っ張って前胴回り部３０に係止させる際に、係止部材４０を引っ張った力を、胴回り部２０の他方側の横端２０ｅの半分以上の部分に与えることができる。これによって、前胴回り部３０により均等な力を加えることができ、前胴回り部３０の一部分に過剰な力が加えられることによる前胴回り部３０の破損や変形の恐れを軽減することができる。図７Ａは、係止部材４０の形状の一例を示す図である。図７Ａに示すように、固着領域４０ｊの縦方向の長さを、後胴回り部２０の他方側の横端２０ｅの長さとほぼ同じにすることがより好ましい。
【００５８】
さらに、後胴回り部２０、前胴回り部３０、及び吸収性本体１０は、それぞれ別体で、後胴回り部２０の下端２０ｂの一方側には、一方側の端部に向かって傾斜している傾斜部２０ｂｌを有し、後ろ胴回り部２０の下端２０ｂの他方側には、他方側の端部に向かって傾斜している傾斜部２０ｂｒを有し、傾斜部２０ｂｌの横方向の長さＬ５より傾斜部２０ｂｒの横方向の長さＬ６の方を長くしてもよい（Ｌ６＞Ｌ５）。一方側の傾斜部２０ｂｌの横方向の長さＬ５を、着用者の脚回りの大きさに応じた長さに設定して、一方側の脚回り開口部１ＨＬは、着用者の脚によりフィットさせる。他方側の傾斜部２０ｂｒは、他方側の傾斜部２０ｂｒの横方向の長さＬ６を、一方側の傾斜部２０ｂｌの横方向の長さＬ５より長くして、着用時に係止部４１による係止によって他方側の脚回り開口部１ＨＢの大きさを調整してもよい。
【００５９】
さらに、本実施形態においては、後胴回り部２０、前胴回り部３０、及び吸収性本体１０は、それぞれ別体であり、吸収性本体１０の前後方向の後側に、後胴回り部２０に重ねられた一端部１０ａが設けられており、吸収性本体１０の前後方向の前側に、前胴回り部３０に重ねられた他端部１０ｂが設けられており、一端部１０ａの下端から他端部１０ｂの下端までの吸収性本体１０の長さＨ３の半分より、後胴回り部２０の他方側の横端２０ｅの長さＨ１の方が小さい（Ｈ３／２＞Ｈ１）。一端部１０ａの下端から他端部１０ｂの下端までの吸収性本体１０の長さＨ３を比較的長くして、各脚回り開口部１ＨＬを脚の大きさに応じた長さに設けることができるようにするとともに、後胴回り部２０の他方側の端２０ｅの長さを短くすることで、係止の際に係止部材４０を引っ張った力を後胴回り部２０に伝えやすくなるため、より装着させやすくなる。
【００６０】
さらに、本実施形態においては、横方向において、後胴回り部２０の上端部における弾性領域Ｘは、少なくとも吸収性本体１０の一端から他端に渡って連続して設けられているため、係止部４１を前胴回り部３０に係止する際に、横方向における吸収性本体１０の中央(中心線ＡＣ)と、着用者の股間の中央（中心線ＢＣ）とがずれる恐れを軽減することができる。
【００６１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００６２】
上述の実施形態においては、吸収性物品の一例としていわゆる３ピースタイプの使い捨ておむつ１を例示したが、何等これに限られない。例えば、後胴回り部と前胴回り部とを股下を介して一体化した外装シートを第１部品、外装シートの肌側面に固定される吸収性本体を第２部品として有する２ピースタイプの使い捨ておむつであってもよい。
【００６３】
また、上述の実施形態においては、後胴回り部２０と係止部材４０は、別の部品としたが、これに限られない。図６Ｂは、係止部４１の形状の一例を示す図である。図６Ｂに示すように、後胴回り部２０と係止部材４０を同じ部材から形成され、後胴回り部２０の糸ゴム２３が設けられた領域から横方向に突出した係止部４１が設けられていてもよい。
【００６４】
さらに、上述の実施形態においては、着用時において、係止部材４０が後胴回り部２０から横方向に突出した状態を説明したが、使い捨ておむつ１が製造された状態で係止部材４０が折り畳まれていてもよく、係止部材４０が前胴回り部３０とミシン目等で仮連結されていてもよい。
【００６５】
また、本実施形態においては、おむつ１のフィット性を確保するための弾性領域Ｘを設けたが、弾性領域Ｘは、後胴回り部２０の上端部のみに設ける構成であってもよい。このような構成であっても、おむつ１に必要な胴回り開口部１ＨＢのフィット性を確保することができる。
【００６６】
上述の実施形態においては、弾性部材として糸ゴム２３、３３を用いることとしたが、これに限られない。伸縮性を有する不織布等を用いてもよい。
【００６７】
上述の実施形態においては、後胴回り部２０及び前胴回り部３０について、吸収体１１と重なる領域は、糸ゴム２３、３３を設けないこととしたが、これに限られない。吸収体１１と重なる領域に糸ゴム２３、３３を設けてもよい。吸収体１１と重なる領域に糸ゴム２３、３３を設けないことにより、吸収体１１が糸ゴム２３、３３の伸縮により変形される恐れを軽減することができる。一方、吸収体１１と重なる領域に糸ゴム２３、３３を設けることで、伸縮力により、吸収性本体１０をよりフィットさせることができる。
【符号の説明】
【００６８】
１  おむつ（吸収性物品）、
１ｂ  接合部、１ＨＢ  胴回り開口部、１ＨＬ  脚回り開口部、
１０  吸収性本体（股下部）、
１０ａ  一端部（第１重なり領域）、１０ｂ  他端部（第２重なり領域）、
１１  吸収体、１２  表面シート、１３  裏面シート、
２０  後胴回り部、２０ａ  上端、２０ｂ  下端、
２０ｂｌ  傾斜部（一方側傾斜部）、２０ｂｒ  傾斜部（他方側傾斜部）、
２０ｂｓ  直線部、２０ｊ  接合領域、
２１  肌側部材、２２  非肌側部材、２３  糸ゴム（弾性部材）、
３０  前胴回り部、
３０ｊ  接合領域、３０ｅ  横端、
３１  肌側部材、３２  非肌側部材、３３  糸ゴム（弾性部材）、３４  ターゲット領域、
４０  係止部材、４０ｊ  固着領域、
４１  係止部、
１００  パンツ型おむつ、
Ｘ  弾性領域、Ｘｅ１  一方側の端、Ｘｅ２  他方側の端、
Ｙ  弾性領域
【図１】
0006375287.tif 000002
【図２】
0006375287.tif 000003
【図３】
0006375287.tif 000004
【図４】
0006375287.tif 000005
【図５】
0006375287.tif 000006
【図６】
0006375287.tif 000007
【図７】
0006375287.tif 000008